(57)【要約】【課題】電子写真方式を用いた画像形成装置の電源部において、複数存在する電圧発生回路の内、一つを削除することで電源部の小型化およびコストダウンを実現する画像形成装置の提供。【解決手段】画像形成装置とＰＣの間をＵＳＢケーブルなどで接続し、両者の間でデータの授受を行うとともに、画像形成装置に具備されたレーザ回路に必要な電力をＰＣ側から供給する。【選択図】        図１
2007049337.tif 000002
【特許請求の範囲】
【請求項１】
レーザ光を発射する半導体レーザと、前記半導体レーザの光量を制御する光量制御手段と、画像信号に基づいて前記半導体レーザの点灯制御を行う点灯制御手段と、データ線と電力線を具備したケーブルを用いてホストに接続するインタフェイス手段を有する画像形成装置において、
前記電力線および前記インタフェイス手段を介して前記ホストから受電した電力を用いて、前記半導体レーザ、前記点灯制御手段、前記光量制御手段のいずれかを動作させることを特徴とする画像形成装置。
【請求項２】
前記インタフェイス手段はＵＳＢ規格に準拠したインタフェイスであることを特徴とする画像形成装置。
【請求項３】
請求項１または２記載の画像形成装置において、前記光量制御手段には前記半導体レーザに流れる電流値が一定になるよう制御する定電流回路が配されていることを特徴とする画像形成装置。
【請求項４】
請求項１〜３いずれか記載の画像形成装置において、電源投入後における画像形成装置本体の初期化の際に前記半導体レーザ、前記点灯制御手段、前記光量制御手段を駆動せず待機状態へと移行することを特徴とする画像形成装置。
【請求項５】
請求項１〜４いずれか記載の画像形成装置において、前記半導体レーザから発せられたレーザ光を像担持体にラスタスキャニングするポリゴンスキャナモータと、前記半導体レーザから発せられた光を受光して前記像担持体上の主走査方向書き出し開始位置の基準信号を出力するＢＤセンサと、前記ＢＤセンサから出力される信号の間隔をカウントし、カウント値に基づいて前記ポリゴンスキャナモータの回転数を制御する加減速制御手段を有し、
電源投入後における画像形成装置本体の初期化の際に前記ポリゴンスキャナモータを駆動せず待機状態へと移行することを特徴とする画像形成装置。
【請求項６】
請求項１〜５いずれか記載の画像形成装置において、前記インタフェイス手段が画像形成装置に接続されたことを検知するインタフェイス検知手段を有し、
前記インタフェイス検知手段が画像形成装置に前記インタフェイス手段が接続されたことを検知した後に、前記半導体レーザ、前記点灯制御手段、前記光量制御手段の駆動を行うことを特徴とする画像形成装置。
【請求項７】
請求項１〜６いずれか記載の画像形成装置において、前記インタフェイス手段が画像形成装置に接続されたことを検知するインタフェイス検知手段を有し、
前記インタフェイス検知手段が画像形成装置に前記インタフェイス手段が接続されたことを検知した後に、前記ポリゴンスキャナモータの駆動を行うことを特徴とする画像形成装置。
【請求項８】
請求項１〜７いずれか記載の画像形成装置において、前記インタフェイス手段が画像形成装置に接続されたことを検知するインタフェイス検知手段を有し、前記ポリゴンスキャナモータ動作中に前記インタフェイス手段が前記画像形成装置から取り外されたことを前記インタフェイス検知手段により検知した場合、前記ポリゴンスキャナモータの動作を停止させることを特徴とした画像形成装置。
【請求項９】
請求項１〜８いずれか記載の画像形成装置において、前記ポリゴンスキャナモータの異常を検出した場合において、前記インタフェイス手段が前記画像形成装置から取り外されていることを前記インタフェイス検知手段により検知した場合、前記ポリゴンスキャナモータの異常ではないと判断することを特徴とする画像形成装置。
【請求項１０】
請求項１〜９いずれか記載の画像形成装置において、画像形成中に前記インタフェイス手段が前記画像形成装置から取り外されたことを、前記インタフェイス検知手段により検知した場合、前記画像形成装置の中に残った記録媒体を自動排出した後に、前記画像形成装置を停止させることを特徴とする画像形成装置。
【発明の詳細な説明】
【技術分野】
【０００１】
本発明は、画像形成装置およびその制御方法に関し、特にＵＳＢ（Ｕｎｉｖｅｒｓａｌ  Ｓｅｒｉａｌ  Ｂｕｓ）インタフェイスを備え、ＵＳＢデバイスと接続し、該当デバイスと相互通信可能な画像形成装置に関するものである。
【背景技術】
【０００２】
図９は従来の電子写真方式で画像形成を行う画像形成装置の構成の一例を示す図である。図９において９０１はＡＣ入力電源、９００は画像形成装置本体である。画像形成装置９００はＡＣ／ＤＣコンバータ部９０２、３．３Ｖ生成部９０３、５Ｖ生成部９１４、エンジンコントローラ部９０４、画像処理部９０５、モータ９０６、ソレノイド９０７、ポリゴンスキャナモータ９０８、高圧電源９１３、レーザ回路部９１０により構成されている。ＡＣ／ＤＣコンバータ部１０２はＡＣ入力電源１０１から＋２４Ｖの直流電圧を発生させており、モータ９０６、ソレノイド９０７、ポリゴンスキャナモータ９０８、高圧電源回路９１３などの駆動系負荷が接続されている。ＡＣ／ＤＣコンバータ部９０２の一例としては他励式フライバック方式のスイッチング電源が存在する。さらに＋２４Ｖには例えば他励式チョッパレギュレータで構成される３．３Ｖ生成部９０３と５Ｖ生成部９１４が接続されており、＋２４Ｖから＋３．３Ｖおよび＋５Ｖの直流電源を発生させている。
【０００３】
３．３Ｖ生成部９０３にはエンジンコントローラ部９０４、画像処理部９０５など主に制御系負荷が接続されている。また５Ｖ生成部９１４には不図示の像担持体に静電潜像を形成する半導体レーザを駆動するレーザ回路部９１０が接続されている。
【０００４】
ところで、近年の画像形成装置などの電化製品において通常の動作が行われていない待機時の消費電力を抑えるため、通常動作時に使用する主電源と待機時に使用する補助電源とを有し、これら複数の電源を動作状態に応じて切り換えて使用する装置が増えてきた。また、ホストとの接続をプラグインプレイが可能であり、接続が容易なＵＳＢのみでまかなう安価な画像形成装置が増えつつある。このようなＵＳＢのみを備えた画像形成装置の一例として、特許文献１に示されているように、装置が待機状態である場合においてＵＳＢから＋５Ｖの給電を受けることで補助電源を削除する手法が開示されている。
【特許文献１】特開２００１−２１１２７４号公報
【発明の開示】
【発明が解決しようとする課題】
【０００５】
このように従来の画像形成装置においては直流電圧＋２４Ｖ、＋５Ｖ、３．３Ｖの３種類の電圧に対しそれぞれに電圧発生回路を必要としており電源部のコストアップおよび大型化を招いていた。さらには、特許文献１に示される画像形成装置においてはＵＳＢから供給される＋５Ｖ電圧を待機時に使用するのみに留まっており、補助電源を削除することは可能であるものの、主電源のコストダウンまたは小型化を達成するには至っていない。
【０００６】
本発明は上記課題に鑑みてなされたものであり、ＵＳＢから供給される電力を通常動作時において、レーザ回路部に使用することで５Ｖ生成部を削除可能とし主電源部の小型化およびコストダウンを実現する画像形成装置を提供することを目的とするものである。
【課題を解決するための手段】
【０００７】
上記目的を達成するため、本出願に係わる第１の発明はレーザ光を発射する半導体レーザと、前記半導体レーザの光量を制御する光量制御手段と、画像信号に基づいて前記半導体レーザの点灯制御を行う点灯制御手段と、データ線と電力線を具備したケーブルを用いてホストに接続するインタフェイス手段を有する画像形成装置において、前記電力線および前記インタフェイス手段を介して前記ホストから受電した電力を用いて、前記半導体レーザ、前記点灯制御手段、前記光量制御手段のいずれかを動作させることを特徴とする。
【０００８】
また、請求項１記載の画像形成装置においての前記インタフェイス手段はＵＳＢ規格に準拠したインタフェイスであることを特徴とする。
【０００９】
また、請求項１または２記載の画像形成装置において、前記光量制御手段には前記半導体レーザに流れる電流値が一定になるよう制御する定電流回路が配されていることを特徴とする。
【００１０】
また、請求項１〜３いずれか記載の画像形成装置において、電源投入後における画像形成装置本体の初期化の際に前記半導体レーザ、前記点灯制御手段、前記光量制御手段を駆動せず待機状態へと移行することを特徴とする。
【００１１】
また、請求項１〜４いずれか記載の画像形成装置において、前記半導体レーザから発せられたレーザ光を像担持体にラスタスキャニングするポリゴンスキャナモータと、前記半導体レーザから発せられた光を受光して前記像担持体上の主走査方向書き出し開始位置の基準信号を出力するＢＤセンサと、前記ＢＤセンサから出力される信号の間隔をカウントし、カウント値に基づいて前記ポリゴンスキャナモータの回転数を制御する加減速制御手段を有し、電源投入後における画像形成装置本体の初期化の際に前記ポリゴンスキャナモータを駆動せず待機状態へと移行することを特徴とする。
【００１２】
また、請求項１〜５いずれか記載の画像形成装置において、前記インタフェイス手段が画像形成装置に接続されたことを検知するインタフェイス検知手段を有し、前記インタフェイス検知手段が画像形成装置に前記インタフェイス手段が接続されたことを検知した後に、前記半導体レーザ、前記点灯制御手段、前記光量制御手段の駆動を行うことを特徴とする。
【００１３】
また、請求項１〜６いずれか記載の画像形成装置において、前記インタフェイス手段が画像形成装置に接続されたことを検知するインタフェイス検知手段を有し、前記インタフェイス検知手段が画像形成装置に前記インタフェイス手段が接続されたことを検知した後に、前記ポリゴンスキャナモータの駆動を行うことを特徴とする。
【００１４】
また、請求項１〜７いずれか記載の画像形成装置において、前記インタフェイス手段が画像形成装置に接続されたことを検知するインタフェイス検知手段を有し、前記ポリゴンスキャナモータ動作中に前記インタフェイス手段が前記画像形成装置から取り外されたことを前記インタフェイス検知手段により検知した場合、前記ポリゴンスキャナモータの動作を停止させることを特徴とする。
【００１５】
また、請求項１〜８いずれか記載の画像形成装置において、前記ポリゴンスキャナモータの異常を検出した場合において、前記インタフェイス手段が前記画像形成装置から取り外されていることを前記インタフェイス検知手段により検知した場合、前記ポリゴンスキャナモータが異常であると判断しないことを特徴とする。
【００１６】
また、請求項１〜９いずれか記載の画像形成装置において、画像形成中に前記インタフェイス手段が前記画像形成装置から取り外されたことを、前記インタフェイス検知手段により検知した場合、前記画像形成装置の中に残った記録媒体を自動排出した後に、前記画像形成装置を停止させることを特徴とする。
【発明の効果】
【００１７】
以上説明したように、本発明によればデータ線と電力線を具備したケーブルを用いてホストに接続するインタフェイス手段を有する画像形成装置において、電力線を介してホストから受電した電力を用いてレーザ回路を駆動させることで、レーザ駆動に必要とする電圧発生回路を削除することが可能になり、画像形成装置のコストダウンおよび小型化が実現できる。
【００１８】
また、ＵＳＢから電力供給を受けレーザ回路を駆動する場合において、レーザ光量制御回路に定電流回路を配することで、例えば他のＵＳＢポートに接続されたＵＢＳデバイスの負荷変動の影響でＵＳＢからの供給電圧が変動したとしても、半導体レーザに一定電流を流すことが可能になり光量変動を抑制することができる。
【００１９】
また、ＵＳＢから電力供給を受けレーザ回路を駆動する場合において、電源投入後の画像形成装置の初期化を行う際に、レーザ回路の駆動およびレーザ光を利用して回転制御を行っているポリゴンスキャナモータの駆動を行わず待機状態へと移行することで、ユーザに対し不要な警告を行うことを防止することが可能になる。
【００２０】
また、ＵＳＢから電力供給を受けレーザ回路を駆動する場合において、ＵＳＢが接続されたことを検出する回路を配し、さらに画像形成装置にＵＳＢが接続された後に、レーザ光を利用して回転速度制御を行っているポリゴンスキャナモータの駆動を行うことで、適切なタイミングでレーザ回路およびポリゴンスキャナモータの駆動を実現可能としている。
【００２１】
また、ＵＳＢから電力供給を受けレーザ回路を駆動する場合において、レーザ光を利用して回転速度制御を行っているポリゴンスキャナモータの駆動中に、ＵＳＢケーブルが画像形成装置から抜かれた場合、ポリゴンスキャナモータを直ちに停止させることで、ポリゴンスキャナモータの回転速度制御が不能になる事態を防止し、ポリゴンスキャナモータの故障を回避することを可能とする。
【００２２】
また、ＵＳＢから電力供給を受けレーザ回路を駆動する場合において、画像形成中にＵＳＢケーブルが画像形成装置から抜かれた場合、直ちに画像形成装置を停止させるのではなく、画像形成装置内に残留した記録紙を自動排紙した後に画像形成装置を停止させることで、ユーザに対し不要なジャム処理を行わせることがなくなりユーザビリティーの向上を実現できる。
【発明を実施するための最良の形態】
【００２３】
以下、本発明に関する画像形成装置および制御方法の一実施の形態について、添付図を参照して詳細に説明する。
【実施例１】
【００２４】
図１は本発明を適用した画像形成装置の概略を示すブロック図である。図１において１０１はＡＣ入力電源、１００は画像形成装置本体である。画像形成装置１００はＡＣ／ＤＣコンバータ部１０２、３．３Ｖ生成部１０３、エンジンコントローラ部１０４、画像処理部１０５、モータ１０６、ソレノイド１０７、ポリゴンスキャナモータ１０８、高圧電源１１３、ＵＳＢインタフェイス部１０９、レーザ回路部１１０により構成されている。ＡＣ／ＤＣコンバータ部１０２はＡＣ入力電源１０１から＋２４Ｖの直流電圧を発生させており、モータ１０６、ソレノイド１０７、ポリゴンスキャナモータ１０８、高圧電源回路１１３などの駆動系負荷が接続されている。ＡＣ／ＤＣコンバータ部１０２の一例としては他励式フライバック方式のスイッチング電源が存在する。さらに＋２４Ｖには例えば他励式チョッパレギュレータで構成される３．３Ｖ生成部１０３が接続されており、＋２４Ｖから＋３．３Ｖの直流電源を発生させている。３．３Ｖ生成部１０３にはエンジンコントローラ部１０４、画像処理部１０５など主に制御系負荷が接続されている。
【００２５】
画像形成装置１００はホストであるＰＣ１１２と接続インタフェイスとしてＵＳＢインタフェイスのみを備えている。ここでＵＳＢの概略について説明する。ＵＳＢケーブル１１１は図２に示すように１対のデータ線（Ｄ＋とＤ−）と、１対の電力線（Ｖｂｕｓ、ＧＮＤ）により構成されている。この電力線によりＰＣから画像形成装置への電力供給を行うが、画像形成装置がＰＣから引き出せる電流値は状況によって以下のモードを有する。
（１）最大電流１００ｍＡ以下の消費モード
（２）最大電流５００ｍＡ以下の消費モード
（３）最大電流５００μＡ以下のサスペンド消費モード
【００２６】
上記（１）のモードはＵＳＢで基準となる電流消費モードであり、デバイスがＵＳＢに初めて接続されて電流が供給された時にバスから消費できる電流は最大１００ｍＡと定義されており、通常動作のために１００ｍＡ以上の電流を消費するようなＵＳＢデバイスの場合でもＰＣから支持されるまではこのモードをとって必ず消費電流を１００ｍＡいかに抑える必要がある。
【００２７】
上記（２）のモードは全てのデバイスが持つものではなく、通常動作時のために１００ｍＡ以上の電流をバスから消費する必要があるデバイスのみ必要となるモードである。この消費電流モードではデバイスの構成情報をＰＣに報告した後、構成（ＰＣによってデバイスが認識され使用可能となった状態）に、ＰＣからこの消費電力モードの使用を許可された場合からのみ有効である。
【００２８】
上記（３）のモードは全てのＵＳＢデバイスがサポートしなければならないモードであり、ＰＣが給紙状態に入る（サスペンドする）などの理由で所定時間（例えば３ｍＳ）以上に渡りＵＳＢバス上にバス・アクティビティがない場合にＵＳＢデバイスが自動的にこれを検出してサスペンド消費モードに入るものである。
【００２９】
画像形成装置１００はＵＳＢケーブル１１１を介してＰＣ１１２から＋５Ｖの供給を受けている。画像形成装置１００には不図示の像担持体に静電潜像を形成する為のレーザ回路部１１０を有しており、レーザ回路部１１０はＵＳＢインタフェイス部から＋５Ｖを受け駆動される。なお、例えば３０ｐｐｍの画像形成装置である場合、レーザ回路部１１０の＋５Ｖの消費電流は最大でも７０ｍＡ〜８０ｍＡでありＵＳＢを介して十分供給可能である。
【００３０】
レーザ回路部１１０の構成は図３に示す通りであり半導体レーザ３０３およびダミー抵抗３０２、フォトダイオード３０８、電流検出抵抗３０９、レーザ駆動ドライバ３００で構成される。レーザ駆動ドライバ３００は画像データレシーバ３０１、スイッチング回路３０４、定電流回路３０７、比較器３０５、増幅器３０６で構成される。
【００３１】
画像データレシーバ３０１は画像処理部１０５から差動信号により伝送された画像データをレーザのＯＮ／ＯＦＦ信号へと変換する。スイッチング回路３０４は画像データレシーバ３０１からのレーザＯＮ／ＯＦＦ信号に応じて半導体レーザ３０３かダミー抵抗３０２のどちら側に電流を流すかを選択し、レーザの点灯制御を行う。フォトダイオード３０８は半導体レーザ３０３の光量に応じた電流を電流検出抵抗３０９に流す。電流検出抵抗３０９により電圧変換された値を比較器３０５により基準電圧と比較、その値を増幅器３０６で増幅し定電流回路３０７にフィードバックする。定電流回路３０７はフィードバック量に応じて半導体レーザ３０３に流す電流量を制御する。
【００３２】
上記のように半導体レーザ３０３の光量は定電流制御により制御されている。よって例えばＰＣ１１２のＵＳＢポートに接続された他のデバイスが引き起こす負荷変動の影響でＵＳＢから供給された５Ｖ電圧値が変動したとしても半導体レーザ３０３には常に一定電流が流れることになり発光量に変動を与えない構成となっている。
【００３３】
続いて図４を用いてスキャナユニット４００の構成を説明する。４０１はポリゴンミラー、４０２はポリゴンミラーを回転駆動するポリゴンスキャナモータである。４０６はレーザ回路１１０に配された半導体レーザ３０３であり、回転したポリゴンミラー４０１に向けて照射される。ポリゴンミラー４０１は矢印の方向に回転しており、半導体レーザ３０３から発したレーザ光はポリゴンミラー４０１の回転に伴い、その反射面で連続的に角度を変える変更ビームとして反射される。この反射光はレンズ４０５により歪曲収差の補正をうけ、不図示の感光体ドラムを主走査方向に走査する。
【００３４】
さらに、主走者方向の走査開始位置基準信号を生成するためにＢＤセンサ４０３が配置される。ＢＤセンサ４０３へは折り返しミラー４０４を利用してレーザ光を導いている。すなわちポリゴンミラー４０１の各反射面で反射されたレーザ光は各１ラインの走査に先立ってＢＤセンサ４０３により検出される。検出されたＢＤ信号は主走査方向の走査開始基準信号として用いられ、この信号を基準として各ラインの主走査方向の書き出し開始位置の同期が取られる。また、このＢＤセンサ４０３から出力される信号を用いてポリゴンスキャナモータ４０２の回転速度制御を行う。
【００３５】
ポリゴンスキャナモータ４０２の回転速度制御について図を用いて説明を加える。図５はＢＤセンサ４０３からの出力を示す図である。不図示のポリゴンスキャナモータ回転速度制御部は、ＢＤセンサ出力のパルスエッジの立ち上がりから次のパルスの立ち上がりまでの時間Ｔをカウントし、カウントした時間Ｔを規定時間と比較することでポリゴンスキャナモータ４０２の加減速制御を行っている。つまり、ポリゴンスキャナモータ４０２の回転速度制御はＢＤセンサ４０３からの出力が得られなければ行うことが不可能であり、すなわち半導体レーザ３０３が発光していることが前提となる。
【００３６】
図６はＵＳＢが接続されているかどうかを検出するＵＳＢ検出回路である。５Ｖを抵抗６０２、抵抗６０３で分圧した電圧値をエンジンコントローラ部１０４に配されたＣＰＵ６０１のポートに入力することでＵＳＢが接続されているかどうかを検出している。なお、ＵＳＢが接続されると５Ｖが給電されＣＰＵ６０１のポートはＨｉｇｈへと遷移する。
【００３７】
次に図７のフローチャートを用いて本実施例記載の画像形成装置１００の制御について説明を行う。まずステップ７０１で本体の電源が入れられた後、ステップ７０２で画像形成装置本体１００の初期化が行われる。このステップ７０２の段階ではレーザ回路１１０の駆動は行わない。次にステップ７０３でＵＳＢ検出回路によりＵＳＢが接続されているかを検出する。ＵＳＢが接続されていない場合、レーザ回路１１０の駆動を行うことができないのでＵＳＢの接続を待機する。ステップ７０３でＵＳＢの接続が確認された場合、ステップ７０４でレーザ回路１１０の駆動、ステップ７０５でスキャナユニット４００の駆動を行い問題なく駆動した場合にはステップ７０６で画像形成装置１００はレディ状態へと移行しプリント信号を待機する。その後、ステップ７０７でプリント指示を判断しプリント指示が来たらステップ７０８で画像形成処理を行い、ステップ７０９で画像形成が正常に終了したかどうかを判断する。
【００３８】
ステップ７０９で画像形成が正常に終了されたと判断した場合、ステップ７１０でＵＳＢが接続されているかどうかを判断しＵＳＢが接続されていればＵＳＢインタフェイスを介してステップ７１４でＰＣ１１２に正常終了したことを送信する。ステップ７１０でＵＳＢが接続されていないと判断した場合、ステップ７１５でＵＳＢ接続を待機する状態へと移行する。なお、ＰＣ１１２側は画像形成装置１００から正常終了または異常終了のコマンドを受け取る前にＵＳＢが抜かれたと判断した場合、ユーザに対しＵＳＢを接続するようＰＣ１１２のモニタ上にエラーメッセージを表示する処理を行う。
【００３９】
ステップ７０９で例えば紙詰まり（ジャム）や画像形成処理中にＵＳＢコネクタを抜かれた等して画像形成が異常終了したと判断した場合、ステップ７１１でＵＳＢが接続されているかを判断しＵＳＢが接続されていればステップ７１２でＰＣ１１２に異常終了したことを送信する。ステップ７１１でＵＳＢが接続されていないと判断した場合、ステップ７１３でＵＳＢ接続を待機する状態へと移行する。なお、ＰＣ１１２側は画像形成装置１００から正常終了または異常終了のコマンドを受け取る前にＵＳＢが抜かれたと判断した場合、ユーザに対しＵＳＢを接続するようＰＣ１１２のモニタ上にエラーメッセージを表示する処理を行う。ステップ７１２およびステップ７１４で終了メッセージをＰＣ１１２に送信した後、ステップ７１６で処理を終了させる。
【００４０】
上記構成によれば、レーザ回路をＵＳＢから供給される電力で駆動することで画像形成装置の５Ｖ発生回路を削除することが可能となり、装置の小型化およびコストダウンを実現可能とする。また、半導体レーザの光量制御を、定電流回路を用いて行うことで、例えばＰＣのＵＳＢポートに接続された他のＵＳＢデバイスが引き起こした負荷変動の影響で、ＵＳＢから供給された５Ｖ電圧値が変動したとしても半導体レーザに対し常に一定電流を流すことで、発光量に影響を及ぼさない構成としている。さらには、電源ＯＮ時に行う画像形成装置本体の初期化の際にはレーザ回路およびポリゴンスキャナモータを駆動せず、ＵＳＢが接続されたことを検出した後にレーザ回路およびポリゴンスキャナモータの駆動を行うことでユーザに対し不要なエラーメッセージを出すことがなくなりユーザビリティーの向上が実現できる。
【実施例２】
【００４１】
実施例１においてはＵＳＢから供給された電力を利用してレーザ回路を駆動し、さらに画像形成装置本体の初期化の際にはレーザ回路およびポリゴンスキャナモータを駆動せず、ＵＳＢが接続されたことを検出した後にレーザ回路およびポリゴンスキャナモータの駆動を行うことでユーザに対し不要なエラーメッセージを出すことがなくなりユーザビリティーの向上を実現していた。
【００４２】
本実施例においては画像形成中においてＵＳＢコネクタが画像形成装置から抜かれた場合であっても、ユーザに対し不要なジャム処理などを行わせる必要を無くしユーザビリティーの更なる向上を実現するものである。さらにポリゴンスキャナモータ回転中にＵＳＢコネクタが画像形成装置から抜かれた場合に、ポリゴンスキャナモータの回転速度制御が不能になる事態を防止し、ポリゴンスキャナモータの故障を回避することを特徴とする。
【００４３】
なお本実施例に係わる画像形成装置およびレーザ回路およびスキャナユニットは実施例１と同一の構成によって実現されるので、その詳細な説明は省略する。
【００４４】
図８のフローチャートを用いて本実施例記載の画像形成装置１００の制御について説明を行う。まずステップ８０１で本体の電源が入れられた後、ステップで画像形成装置本体１００の初期化が行われる。このステップ８０２の段階ではレーザ回路の初期化は行わない。次にステップでＵＳＢ検出回路によりＵＳＢが接続されているかを検出する。ＵＳＢが接続されていない場合、レーザ回路１１０の駆動を行うことができないのでＵＳＢの接続を待機する。ステップ８０３でＵＳＢの接続が確認された場合、ステップ８０４でレーザ回路１１０の駆動、ステップ８０５でスキャナユニット４００の駆動を行い問題なく駆動した場合はステップ８０６で画像形成装置１００はレディ状態へと移行しプリント信号を待機する。その後、ステップ８０７でプリント指示を判断しプリント指示が来たらステップ８０８でスキャナユニット４００の駆動および画像形成処理を行う。ステップ８０８ではスキャナユニット４００の駆動中にＵＳＢが接続されているかを判断しており、ステップ８０８でスキャナユニット４００駆動中にＵＳＢが抜かれたと判断した場合は、ステップ８１１でポリゴンスキャナモータ４０２を直ちに停止、およびステップ８１２で画像形成装置１００内に残留している記録紙をすべて排出する。その後、ステップ８１３でＵＳＢが接続されているかを判断しＵＳＢが接続されていればステップ８１６でＰＣ１１２に異常終了したことを送信する。ステップ８１３でＵＳＢが接続されていないと判断した場合、ステップ８１７でＵＳＢ接続を待機する状態へと移行する。なお、ＰＣ１１２側は画像形成装置１００から正常終了または異常終了のコマンドを受け取る前にＵＳＢが抜かれたと判断した場合、ユーザに対しＵＳＢを接続するようＰＣ１１２のモニタ上にエラーメッセージを表示する処理を行う。
【００４５】
ステップ８０９でプリントジョブが終了されたと判断した場合、ステップ８１０でＵＳＢが接続されているかどうかを判断しＵＳＢが接続されていればＵＳＢインタフェイスを介してステップ８１４でＰＣ１１２に正常終了したことを送信する。ステップ８１０でＵＳＢが接続されていないと判断した場合、ステップ８１５でＵＳＢ接続を待機する状態へと移行する。なお、ＰＣ１１２側は画像形成装置１００から正常終了または異常終了のコマンドを受け取る前にＵＳＢが抜かれたと判断した場合、ユーザに対しＵＳＢを接続するようＰＣ１１２のモニタ上にエラーメッセージを表示する処理を行う。その後ステップ８１８およびステップ８１６で終了メッセージをＰＣ１１２に送信した後、ステップ８１８で処理を終了させる。
【００４６】
上記構成によれば、ＵＳＢからの電力を利用してレーザ回路を駆動する画像形成装置１００において、画像形成中においてＵＳＢコネクタが画像形成装置から抜かれた場合であっても、ユーザに対し不要なジャム処理などを行わせる必要を無くしユーザビリティーの更なる向上を実現可能とする。さらにポリゴンスキャナモータ回転中にＵＳＢコネクタが画像形成装置から抜かれた場合に、ポリゴンスキャナモータの回転速度制御が不能になる事態を防止し、ポリゴンスキャナモータの故障を回避することを可能とする。
【図面の簡単な説明】
【００４７】
【図１】本発明の第１、２の実施例に係る画像形成装置を説明するブロック図である。
【図２】ＵＳＢケーブルの概略構成を示した図である。
【図３】本発明の第１、２の実施例に係るレーザ回路の動作を説明するブロック図である。
【図４】本発明の第１、２の実施例に係るスキャナユニットの構成を説明する図である。
【図５】本発明の第１、２の実施例に係るＢＤセンサからの出力信号を示した図である。
【図６】本発明の第１、２の実施例に係るＵＳＢ検出回路の構成を示した図である。
【図７】本発明の第１の実施例に係る画像形成装置の制御を説明するフローチャートである。
【図８】本発明の第２の実施例に係る画像形成装置の制御を説明するフローチャートである。
【図９】従来の画像形成装置を説明するブロック図である。
【符号の説明】
【００４８】
１００  画像形成装置
３００  レーザ駆動ドライバ
４００  スキャナユニット
【図１】
2007049337.tif 000003
【図２】
2007049337.tif 000004
【図３】
2007049337.tif 000005
【図４】
2007049337.tif 000006
【図５】
2007049337.tif 000007
【図６】
2007049337.tif 000008
【図７】
2007049337.tif 000009
【図８】
2007049337.tif 000010
【図９】
2007049337.tif 000011